(57)【要約】  【課題】この考案は、閃光発光手段の照射有効距離より該閃光発光手段に近い位置にある被写体を撮像する場合に、良質な撮像を得るために十分な照射光を供給する発光装置を提供する。    【解決手段】撮像レンズを具えたカメラに着脱自在に装着される閃光発光手段２を具えた発光装置１は、長時間発光可能な発光手段３を配設しており、この発光手段３は、近接撮影の場合の光源として用いることができる。また発光手段３を動画撮影の場合の光源として用いることもできるし、発光手段３をモデリング発光の光源として用いることもできる。  【選択図】  図４
0003127191.tif 000002
【実用新案登録請求の範囲】
【請求項１】
撮像レンズを具えたカメラに着脱自在に装着される閃光発光手段を具えた発光装置において、
長時間発光可能な発光手段を配設し、該発光手段を近接撮影の場合の光源とするようにしたことを特徴とする発光装置。
【請求項２】
前記発光手段は、動画撮影の場合の光源として用いられることを特徴とする請求項（１）記載の発光装置。
【請求項３】
前記発光手段は、モデリング発光の光源として用いられることを特徴とする請求項（１）記載の発光装置。
【考案の詳細な説明】
【技術分野】
【０００１】
この考案は、カメラに着脱自在に装着される発光装置に関し、特にストロボ等の従来から使用されているいわゆる閃光発光手段を具えた発光装置に関する。
【背景技術】
【０００２】
従来から、カメラに着脱自在に装着され、外部ストロボと呼ばれる瞬時発光の閃光発光手段を具えた発光装置が知られている。
【０００３】
この発光装置が装着されたカメラでは、通常、暗所において通常の静止画像（スチル画像）を撮像する場合に、閃光発光手段による発光を行うようにしている。
【考案の開示】
【考案が解決しようとする課題】
【０００４】
ところで、外部ストロボと呼ばれる閃光発光手段には、カメラの撮像レンズの絞り値に応じたいわゆる照射有効距離が存在する。閃光発光手段から該照射有効距離に被写体が位置する場合には、閃光発光手段からの照射光によって、カメラの撮像レンズの撮像範囲に十分な光量が供給され、これにより良質な撮像を得ることができる。
【０００５】
一方、この照射有効距離に被写体が位置せずに被写体が該照射有効距離よりも閃光発光手段に近い位置にある場合には、閃光発光手段の照射角がカメラの撮像レンズの撮影範囲から外れてしまい、そのため閃光発光手段からの光ではカメラの撮像レンズの撮像範囲に十分な光量が供給されずに良質な撮像を得ることができない。
【０００６】
この考案は、上述した事情に鑑み、閃光発光手段の照射有効距離よりも該閃光発光手段に近い位置にある被写体を撮像する場合に、良質な撮像を得るために十分な照射光を供給する発光装置を提供することを目的とする。
【課題を解決するための手段】
【０００７】
上述した課題を解決するため、この本願考案は、撮像レンズを具えたカメラに着脱自在に装着される閃光発光手段を具えた発光装置において、長時間発光可能な発光手段を配設し、該発光手段を近接撮影の場合の光源とするようにしている。またこの発光手段は、動画撮影の場合の光源として用いることができる。またこの発光手段を、モデリング発光の光源として用いることもできる。
【考案の効果】
【０００８】
本願考案は、撮像レンズを具えたカメラに着脱自在に装着される閃光発光手段を具えた発光装置において、長時間発光可能な発光手段を配設し、該発光手段を近接撮影の場合の光源とするようにしたから、閃光発光手段の照射有効距離よりも閃光発光手段に近い位置にある被写体に十分な光量を供給でき、これにより良質な撮像を得ることができ、またこの発光手段を、動画撮影の光源として用いたり、モデリング発光の光源として用いることもできる。
【考案を実施するための最良の形態】
【０００９】
以下、この考案に係る発光装置の一実施例を詳述する。  
図１は、この考案に係る発光装置の概念側面図である。図２は、図１の発光装置と該発光装置から離脱しているカメラの様子を示す概念側面図である。図３は、図２の発光装置がカメラに装着されている様子を示す概念側面図である。
【００１０】
図１で示すように、この考案に係る発光装置１内には、ストロボ等の閃光発光手段２と、長時間発光可能な発光手段３とが配設されている。  
このうち、閃光発光手段２は、円筒形状の発光管（図示しない）とその発光管から照射された照射光を反射させる円弧形状の反射板（図示しない）とから構成されている。  
また、発光手段３は１個乃至は複数個のＬＥＤ（発光ダイオード）を配列したＬＥＤ発光モジュール（図示しない）から構成されている。
【００１１】
また、この発光装置１には、閃光発光手段２の照射光を装置１の外部に案内する照射窓１２と、発光手段３の照射光Ｂ（後述）を装置１の外部に案内する照射窓１３とが形成されており、これら各発光窓１２、１３は、互いに独立し、かつ異なる位置に配置されている。
【００１２】
一方、図２で示すようにカメラ２０は正面に撮像レンズ２２を具えている。また、カメラ２０の鉛直上面には、発光装置１を装着するシュー２９が配設されており、発光装置１の鉛直下面には係合部９を具えている。  
図２の発光装置１の係合部９を、矢印Ａで示すようにカメラ２０のシュー２９に係合すると、図３で示すように発光装置１をカメラ２０に装着できる。また図３の発光装置１をカメラ２０から離脱するには、図２で示すように発光装置１の係合部９とカメラ２０のシュー２９との係合を解除すればよい。
【００１３】
次に、上述した発光装置１の作用を説明する。
【００１４】
図３で示すように、この発光装置１を装着したカメラ２０では、暗所において通常の静止画像（スチル画像）を撮像する際、被写体が閃光発光手段２から照射有効距離にある場合には、閃光発光手段２の発光管から照射光（図示しない）を照射する。この照射光は発光窓１２へ向け案内され、この発光窓１２から発光装置１の外部へ照射される。そして、この閃光発光手段２からの照射光によってカメラ２０の撮像レンズ２２の撮像範囲に十分な光量が供給され、これにより良質な撮像を得ることができる。
【００１５】
また図４で示すように、この発光装置１を装着したカメラ２０では、暗所において通常の静止画像を撮像する際、被写体が閃光発光手段２から照射有効距離に位置せず該被写体が照射有効距離より閃光発光手段２に近い位置にある場合には、発光手段３の上記ＬＥＤモジュールから照射光Ｂを照射する。この照射光Ｂは発光窓１３へ向け案内され、この発光窓１３から発光装置１の外部へ照射される。
【００１６】
このように通常の静止画像を撮像する際、被写体が閃光発光手段２からの照射有効距離に位置せず該被写体が照射有効距離より閃光発光手段２に近い位置にある場合には、仮に閃光発光手段２から発光させたとしても、閃光発光手段２の照射角がカメラ２０の撮像レンズ２２の撮影範囲から外れてしまい、そのため閃光発光手段２からの光ではカメラ２０の撮像レンズ２２の撮像範囲に十分な光量が供給されず、そのため良質な撮像を得ることができない。  
しかし、この発光装置１は、撮像レンズ２２を具えたカメラ２０に着脱自在に装着される発光装置において、閃光発光手段２を具えるだけでなく、長時間発光可能な発光手段３を配設している。この発光手段３の照射光Ｂの照射角度は、カメラ２０の撮像レンズ２２の撮像範囲から外れないため、照射光Ｂにより撮像レンズ２２の撮像範囲に十分な光量が供給され、これにより良質な撮像を得ることができる。  
いいかえると、この発光装置１では、発光手段３の照射光Ｂを、閃光発光手段２の照射有効距離よりも近い位置にある被写体を撮像する場合（近接撮影）の光源とすることができる。
【００１７】
なお、発光手段３がＬＥＤである場合、照射角度Ｃは光軸Ｄから約６０度の範囲（レンズなしの場合）となり、この照射角度Ｃはカメラ２０の撮像レンズ２２の撮像範囲から外れず、上記近接撮影に十分な照射角度といえるので、上記したように良質の撮像を得ることができる。  
なお、上記図４は、この考案に係る発光装置をカメラに装着した様子を示す側面図であり、特に発光手段の作用を示す要部概念図であり、図１乃至図３と同一部分を同一符号で示している。
【００１８】
また、この発光装置１では、撮像レンズ２２を具えたカメラ２０に着脱自在に装着される発光装置において、閃光発光手段２を具えるとともに長時間発光可能な発光手段３を具えているから、該発光手段３を近接撮影の場合の光源とするだけでなく、静止画像を閃光発光手段２の照射光を用いて撮像する際に行われるいわゆるモデリング発光の光源として、該発光手段３を用いることもできる。
【００１９】
また、上記実施例では、発光装置１は、静止画像を撮像するカメラに装着されるものとしたがとしたが、発光装置１が着脱自在に装着されるカメラは、ネオ一眼と称される、ホットシューを有するコンパクトカメラであってもよいし、ＣＣＤ等の撮像素子を使用したデジタルカメラであってもよい。  
上述したネオ一眼と称されるコンパクトカメラやデジタルカメラには、通常の静止画像（スチル画像）を撮像するスチルモードと、短時間ではあるが動画像を撮像することが出来るムービーモードとを選択できる動画像を撮像するムービーモードを選択できるものがあるが、この発光装置１の発光手段３は、該発光装置１を着脱自在に装着したカメラにおいて、上述したように暗所における通常の静止画像を撮像する場合の近接撮像用光源として用いることができるのみならず、発光手段３を動画像を撮像する場合の光源として用いることもできる。  
特に、動画像を撮像する場合には長時間発光しなければならないから、閃光発光手段２を使用することはできず、その代わり上述した長時間発光が可能なＬＥＤ等の発光手段３を使用できることは有効である。
【００２０】
また、この発光装置１は、静止画像を接像するカメラ２０の発光装置であることとして説明したが、該発光装置１を、デジタルビデオカメラ等の発光装置として適用するようにしても良いことはもちろんである。
【００２１】
また、上記実施例では発光手段３として、ＬＥＤ発光手段を取り上げたが、この考案は上記実施例に限定されることなく例えば長時間発光可能な発光手段３としてランプ光源を用いても良いことはもちろんである。
【産業上の利用可能性】
【００２２】
以上で説明したように、この考案の発光装置は、閃光発光手段の照射有効距離よりも該閃光発光手段に近い位置にある被写体を撮像する場合に、良質な撮像を得るために十分な照射光を供給する発光装置として適している。また、この発光装置は、動画撮影を行う場合に照射光を供給する発光装置として適している。また、この発光装置は、モデリング発光を行う場合に照射光を供給する発光装置として適している。
【図面の簡単な説明】
【００２３】
【図１】図１は、この考案に係る発光装置の概念側面図である。
【図２】図２は、図１の発光装置と該発光装置から離脱しているカメラの様子を示す概念側面図である。
【図３】図３は、図２の発光装置がカメラに装着されている様子を示す概念側面図である。
【図４】図４は、この考案に係る発光装置をカメラに装着した様子を示す側面図であり、特に発光手段の作用を示す要部概念図である。
【符号の説明】
【００２４】
１…発光装置
２…閃光発光手段
３…発光手段
１２、１３…発光窓
２０…カメラ
２２…撮像レンズ
Ｂ…発光手段から照射された照射光
【図１】
0003127191.tif 000003
【図２】
0003127191.tif 000004
【図３】
0003127191.tif 000005
【図４】
0003127191.tif 000006